(57)【要約】      （修正有）【課題】霧化液体をペットの皮膚表層に浸透させ、液体の効果を高めるペット用ブラシ構造を提供する。【解決手段】ペット用ブラシ構造は、ハウジング本体、外蓋４、回路基板２、液体容器３、霧化部材５及びブラシ部材９を備える。ハウジング本体は、頂面及び底面を有し、一端に収容空間が形成され、他端に配置部が形成される。外蓋４は、配置部を覆う。回路基板２は、収容空間内に設置される。液体容器３は、配置部上に設置されるとともに、液体と、液体が接触されるスポンジとを含み、液体容器からスポンジへ向かって液体が供給される。霧化部材５は、回路基板と電気的に接続され、液体容器内のスポンジと接触され、霧化部材の作動によりスポンジの液体が配置部の開口部１４２を介して発散される。ブラシ部材９は、ハウジング本体の底面に結合されている。【選択図】図１Ａ
0003198785.tif 000002
【実用新案登録請求の範囲】
【請求項１】
ハウジング本体、外蓋、回路基板、液体容器、霧化部材及びブラシ部材を備えたペット用ブラシ構造であって、
前記ハウジング本体は、頂面及び底面を有し、一端に収容空間が形成され、他端に配置部が形成され、前記配置部上には、開口部が形成され、
前記外蓋は、前記配置部を覆い、
前記回路基板は、前記収容空間内に設置され、
前記液体容器は、前記配置部上に設置されるとともに、液体と、前記液体が接触されるスポンジとを含み、前記液体容器から前記スポンジへ向かって前記液体が供給され、
前記霧化部材は、前記回路基板と電気的に接続され、前記液体容器内の前記スポンジと接触され、前記霧化部材の作動により前記スポンジの前記液体が前記配置部の前記開口部を介して発散され、
前記ブラシ部材は、前記ハウジング本体の底面に結合されていることを特徴とする、
ペット用ブラシ構造。
【請求項２】
前記収容空間と前記配置部との間には、隔板が設置されていることを特徴とする請求項１に記載のペット用ブラシ構造。
【請求項３】
前記ハウジング本体上には、前記ハウジング本体を横断するストラップ構造が結合されていることを特徴とする請求項１に記載のペット用ブラシ構造。
【請求項４】
前記ハウジング本体には、滑り止め部材が周設されていることを特徴とする請求項１に記載のペット用ブラシ構造。
【請求項５】
前記ハウジング本体には、前記ハウジング本体を横断するストラップ構造と、前記ハウジング本体に周設された滑り止め部材とが結合されていることを特徴とする請求項１に記載のペット用ブラシ構造。
【請求項６】
前記滑り止め部材はゴムからなることを特徴とする請求項４又は５に記載のペット用ブラシ構造。
【請求項７】
前記液体容器と前記配置部の前記開口部との間には、リング部材が設置されていることを特徴とする請求項１に記載のペット用ブラシ構造。
【請求項８】
前記リング部材はゴムからなることを特徴とする請求項７に記載のペット用ブラシ構造。
【請求項９】
前記液体容器は交換可能なアセンブリからなることを特徴とする請求項１に記載のペット用ブラシ構造。
【請求項１０】
前記液体容器は、前記配置部上に固定され、前記液体容器内には、前記液体が蓄えられることを特徴とする請求項１に記載のペット用ブラシ構造。
【請求項１１】
前記液体容器内の前記液体は精油又は薬液であることを特徴とする請求項１に記載のペット用ブラシ構造。
【考案の詳細な説明】
【技術分野】
【０００１】
本考案は、ペット用ブラシ構造に関し、特に、ペットの毛を梳かし、霧化液体をペットの皮膚表層に浸透させ、液体の効果を高めるペット用ブラシ構造に関する。
【背景技術】
【０００２】
ペットを飼育することは、現代人にとって生活の楽しみが増すため、現在ペットを飼育している人は多い。しかし、ペットを飼っている多くの者が知っているように、猫及び犬の毛が生え変わる春及び秋には、大量の毛が抜け落ちることが一般的である。そして大量に抜け落ちた毛は、身体及び室内の様々な物に付着し、室内の衛生に悪影響を及ぼし、誤って呑み込んでしまう場合、消化に悪影響を及ぼす虞もあった。そのため、毛の汚れ及び埃を取り除いて毛が絡まることを防ぐとともに、血液循環を促進し、皮膚の抵抗力を高めて疲労を和らげるために、ペットの毛を梳かす必要があった。
【０００３】
さらに、現在マッサージをする際に精油を使用することが流行しており、ペットに対して希釈させた精油を用いる方式では、手に精油をスプレーし、まず、脊椎に沿って上から下方向へかけて全身を優しく撫でてから、犬の頭部及び耳の付近を軽く揉んで、最後に前足及び後ろ足をマッサージする。
しかし、上述したような方式では、ペットの毛が絡まってしまい、使用する精油をペットの皮膚表層に効果的に浸透させることが困難であり、精油の効果が理想的でないため、精油を使ったマッサージを行う前に、ペットの毛を掻き分ける必要があった。
【０００４】
そのため、ペットの毛を梳かすときに、霧化液体をペットの皮膚表層に浸透させて液体の効果を高め、精油をペットの皮膚表層に効果的に浸透させるとともに、ペットに精油を施す時間を短縮することができるペット用ブラシ構造が求められていた。
【考案の概要】
【考案が解決しようとする課題】
【０００５】
本考案の目的は、霧化液体をペットの皮膚表層に浸透させ、液体の効果を高めるペット用ブラシ構造を提供することにある。
【課題を解決するための手段】
【０００６】
上記課題を解決するために、本考案の第１の形態によれば、ハウジング本体、外蓋、回路基板、液体容器、霧化部材及びブラシ部材を備えたペット用ブラシ構造であって、前記ハウジング本体は、頂面及び底面を有し、一端に収容空間が形成され、他端に配置部が形成され、前記配置部上には、開口部が形成され、前記外蓋は、前記配置部を覆い、前記回路基板は、前記収容空間内に設置され、前記液体容器は、前記配置部上に設置されるとともに、液体と、前記液体が接触されるスポンジとを含み、前記液体容器から前記スポンジへ向かって前記液体が供給され、前記霧化部材は、前記回路基板と電気的に接続され、前記液体容器内の前記スポンジと接触され、前記霧化部材の作動により前記スポンジの前記液体が前記配置部の前記開口部を介して発散され、前記ブラシ部材は、前記ハウジング本体の底面に結合されていることを特徴とするペット用ブラシ構造が提供される。
【０００７】
前記収容空間と前記配置部との間には、隔板が設置されていることが好ましい。
【０００８】
前記ハウジング本体上には、前記ハウジング本体を横断するストラップ構造が結合されていることが好ましい。
【０００９】
前記ハウジング本体には、滑り止め部材が周設されていることが好ましい。
【００１０】
前記ハウジング本体には、前記ハウジング本体を横断するストラップ構造と、前記ハウジング本体に周設された滑り止め部材とが結合されていることが好ましい。
【００１１】
前記滑り止め部材はゴムからなることが好ましい。
【００１２】
前記液体容器と前記配置部の前記開口部との間には、リング部材が設置されていることが好ましい。
【００１３】
前記リング部材はゴムからなることが好ましい。
【００１４】
前記液体容器は交換可能なアセンブリからなることが好ましい。
【００１５】
前記液体容器は、前記配置部上に固定され、前記液体容器内には、前記液体が蓄えられることが好ましい。
【００１６】
前記液体容器内の前記液体は精油又は薬液であることが好ましい。
【図面の簡単な説明】
【００１７】
【図１Ａ】本考案の一実施形態に係るペット用ブラシ構造を示す分解斜視図である。
【図１Ｂ】本考案の一実施形態に係るペット用ブラシ構造の液体容器及び外蓋を示す分解斜視図である。
【図１Ｃ】本考案の一実施形態に係るペット用ブラシ構造の液体容器及び外蓋を示す斜視図である。
【図２】本考案の一実施形態に係るペット用ブラシ構造の液体容器の内部構造を示す説明図である。
【図３Ａ】本考案の一実施形態にペット用ブラシ構造の液体容器を開封するときの状態の説明図である。
【図３Ｂ】本考案の一実施形態にペット用ブラシ構造の液体容器を開封するときの状態の説明図である。
【図４】本考案の他の実施形態に係るペット用ブラシ構造の固定バンドの状態を示す説明図である。
【図５】本考案の他の実施形態に係るペット用ブラシ構造のブラシ部材の状態を示す説明図である。
【考案を実施するための形態】
【００１８】
以下、本考案の実施形態について図に基づいて説明する。なお、これによって本考案が限定されるものではない。
【００１９】
図１Ａ、図１Ｂ及び図１Ｃを参照する。図１Ａは、本考案の一実施形態に係るペット用ブラシ構造を示す分解斜視図である。図１Ｂは、本考案の一実施形態に係るペット用ブラシ構造の液体容器及び外蓋を示す分解斜視図である。図１Ｃは、本考案の一実施形態に係るペット用ブラシ構造の液体容器及び外蓋を示す斜視図である。
図１Ａ、図１Ｂ及び図１Ｃに示すように、本考案の一実施形態に係るペット用ブラシ構造は、ハウジング本体１を含む。ハウジング本体１は、上ハウジング１１、下板体１２、滑り止め部材１３及び底板１４を含む。上ハウジング１１の前端には、円弧面１１１（頂面）が形成されている。円弧面１１１は、後方へ延びて環状中空位置決め部１１２が形成され、円弧面１１１の両側には、係合部１１１１が設けられる。
【００２０】
下板体１２は板体である。下板体１２の表面には、斜め上向きに延びた隔板１２１が設けられている。下板体１２の表面には、環状中空位置決め部１１２に対応した箇所に開口部１２２が形成されている。上ハウジング１１と下板体１２とを接合する際、円弧面１１１と下板体１２との間には収容空間が形成され、環状中空位置決め部１１２と下板体１２とにより配置部が形成され、収容空間と配置部とは隔板１２１により仕切られている。
【００２１】
収容空間内には、回路基板２が配設されている。配置部には、開口部１２２に対応した箇所に液体容器３が設置されている。液体容器３は、交換可能なアセンブリ又は固定容器であり、環状中空位置決め部１１２は外蓋４で覆われる（即ち、外蓋４により配置部が完全に覆われる）。
【００２２】
滑り止め部材１３には下板体１２が挿通され、滑り止め部材１３の両側に設けられた固定片１３１は、係合部１１１１上に固定される。
底板１４は、下から上方向へかけて滑り止め部材１３及び下板体１２に突き当てられ、環状中空位置決め部１１２に螺設される。底板１４は、ベース支持機能を有する上、多数の挿入孔１４１と、開口部１２２に対応した開口部１４２とを有する。
ブラシ部材９上の差込部材９１が挿入孔１４１に挿入されると、複数のブラシ本体９３を有するブラシ部材９が底板１４上に固定される。ブラシ部材９は、開口部１４２に対応した開口部９２を有する。
【００２３】
さらに、液体容器３下には、霧化部材５及びリング部材６が設置されている。霧化部材５は、液体容器３から供給される液体を振動により霧化し、開口部１２２，１４２，９２から発散させる超音波霧化器であるため、ペット用ブラシ構造でペットの毛を梳かすと、霧化された液体（液体容器３内に蓄えられる液体は精油、殺虫用薬液などの溶液でもよい）をペットの皮膚表層に浸透させることができる。本実施形態の滑り止め部材１３及びリング部材６は、ゴムなどからなることが好ましい。
【００２４】
ハウジング本体１の上ハウジング１１上には、ハウジング本体１の円弧面１１１に横断させたストラップ構造７が結合される。ストラップ構造７は挿設部材でもよい。ストラップ構造７の両側には、係合部材７１がそれぞれ設けられている。係合部材７１は、係合部１１１１上に係合され、ストラップ構造７が上ハウジング１１上に固定される。図１に示すように、ストラップ構造７と円弧面１１１との間には一定の空隙が形成され、利用者はストラップ構造７に指を挿通させると、ハウジング本体１を安定的に握持することができる。
【００２５】
図２を参照する。図２に示すように、液体容器３が交換可能アセンブリである場合、液体容器３には、上カバー３１、液体内容物３２、封止膜３３及びスポンジ３４が含まれる。カプセルの上カバー３１内には、液体内容物３２が収容され、開口部が封止膜３３により封止される。スポンジ３４は、封止膜３３の外側に結合される。カプセルの上カバー３１の頂部内縁には、テーパー３１１が形成されている。テーパー３１１は、封止膜３３に近接した箇所に位置する。
図３Ａ及び図３Ｂに示すように、利用者８が液体内容物３２をスポンジ３４へ向けて流すと、カプセルの上カバー３１の頂面が押下され、テーパー３１１が封止膜３３を突き破り、液体内容物３２がスポンジ３４へ向かって流れてスポンジ３４により吸収される。
【００２６】
液体容器３を突き破って液体内容物３２がスポンジ３４へ向かって流れる構造は、特に限定されず、外蓋４の内側にテーパーが設けられてもよい。液体容器３が配置部上に載置されて外蓋４で覆われると、液体容器３にテーパーが突き刺さり、液体内容物３２がスポンジ３４へ向かって流れる。勿論、このような方式以外に、同じ効果が得られる突き破り機構及び構造を利用してもよいが、ここではこれらについて詳説しない。
【００２７】
また、液体容器３が固定容器である場合、液体容器３が配置部上に固定され、交換可能アセンブリと異なり、液体容器３上に注入孔が形成され、液体容器３内の液体を使い終わると、注入孔を介して新しい液体が注入され、内部の液体を繰り返して補充することができる。
【００２８】
また、図４に示すように、ストラップ構造７は、ハンドル部材に交換してもよく、ストラップ構造７と円弧面１１１との間には空隙がなく、利用者が直接握持することができる把持部７２がストラップ構造７に延設されている点が図１Ｃと異なる。
【００２９】
また、図５に示すように、下板体１２の底面に結合されるブラシ部材９を別の構造物に交換してもよい。例えば、図５のブラシ部材９が太めのブラシ本体９３を有し、図５のブラシ本体９３以外に、様々な使用の要望に応えることができるように、その他の種類のブラシ部材９と交換することができる点が図１Ａと異なる。
【００３０】
上述したことから分かるように、本考案のペット用ブラシ構造は、従来技術と比べ、以下（１）及び（２）の長所を有する。
（１）ペットの毛を梳かす際、霧化液体をペットの皮膚表層上に浸透させて液体効果を高め、精油がペットの皮膚表層に効果的に浸透させ得るとともに、ペットに精油を施す時間を短縮することができる。
（２）様々な使用の要望に応えることができるように、様々なブラシ部材と交換することができる。
【００３１】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３２】
１        ハウジング本体
２        回路基板
３        液体容器
４        外蓋
５        霧化部材
６        リング部材
７        ストラップ構造
８        利用者
９        ブラシ部材        
１１      上ハウジング
１２      下板体
１３      滑り止め部材
１４      底板
３１      上カバー
３２      液体内容物
３３      封止膜
３４      スポンジ
７１      係合部材
７２      把持部
９１      差込部材
９２      開口部
９３      ブラシ本体
１１１    円弧面
１１２    環状中空位置決め部
１２１    隔板
１２２    開口部
１３１    固定片
１４１    挿入孔
１４２    開口部
３１１    テーパー
１１１１  係合部
１３１１  テーパー
【図１Ａ】
0003198785.tif 000003
【図１Ｂ】
0003198785.tif 000004
【図１Ｃ】
0003198785.tif 000005
【図２】
0003198785.tif 000006
【図３Ａ】
0003198785.tif 000007
【図３Ｂ】
0003198785.tif 000008
【図４】
0003198785.tif 000009
【図５】
0003198785.tif 000010